(57)【要約】マルチモード印刷用に構成された印刷システムである。該印刷システムは、多数のノズル対（600）を含んだプリントヘッドであって、該ノズル対（600）の各々は、１次インクノズル（602）と２次インクノズル（604）とを含むことからなる、プリントヘッドと、現在の印刷モードに基づいて、多数のタイムスロット（518）のうちの１つのタイムスロット中における選択された対（600）内のノズルのうちの何れか一方か又は両方を選択的に発射するためのスイッチング回路構成（606）とを備える。
2013526434.tif 000002
【特許請求の範囲】
【請求項１】
マルチモード印刷のための印刷システムであって、該印刷システムは、プリントヘッド（502）を備え、該プリントヘッド（502）が、
複数のノズル対（600）であって、各ノズル対（600）は、１次インクノズル（602）と２次インクノズル（604）とを含むことからなる、複数のノズル対と、
現在の印刷モードに基づいて複数のタイムスロット（518）のうちの１つのタイムスロット中におけるある選択された対の中の前記ノズル（602、604）のうちのいずれか一方か又は両方を選択的に発射するためのスイッチング回路構成（606）
とを備えることからなる、印刷システム。
【請求項２】
前記印刷システム内において、前記１次インクノズル（414）が共有インクフローライン（406）から配置される距離よりも、前記２次インクノズル（416）は前記共有インクフローライン（406）から更に遠い距離に配置される、請求項１に記載の印刷システム。
【請求項３】
前記印刷システム内において、前記２次インクノズル（604）よりも、前記１次インクノズル（602）はより多くの量のインクを射出することができる、請求項１又は２に記載の印刷システム。
【請求項４】
前記印刷システム内において、前記ノズル対（600）は、複数のインクノズルグループ（510、512、514、516）へと分割され、各インクノズルグループ（510、512、514、516）は、前記複数のタイムスロット（518）のうちの少なくとも１つに対応することからなる、請求項１乃至３の何れかに記載の印刷システム。
【請求項５】
前記印刷システム内において、単一アドレスライン（608）は、各ノズル対（600）ごとの前記スイッチング回路構成（606）と伝達し合う、請求項１乃至４の何れかに記載の印刷システム。
【請求項６】
前記印刷システム内において、前記スイッチング回路構成（606）は、第１の印刷モードでは、前記複数のタイムスロット（518）のうちの前記１つのタイムスロット中に、前記ノズル対（600）の前記１次インクノズル（602）と前記２次インクノズル（604）との両方を一斉に発射する、請求項１乃至５の何れかに記載の印刷システム。
【請求項７】
前記印刷システム内において、前記スイッチング回路構成（606）は、第２の印刷モードでは、前記複数のタイムスロット（518）のうちの前記１つのタイムスロット中において、選択されたノズル対内の前記ノズルのうちの１つのみを選択的に発射する、請求項６に記載の印刷システム。
【請求項８】
前記印刷システム内において、前記第２の印刷モードの間、前記プリントヘッド（502）を保持するキャリッジが、前記第１のモードである間の前記キャリッジの半分の速度で、前記印刷媒体に関連して移動し、該半分の速度によって、前記複数のタイムスロット（518）の２倍のタイムスロットが利用可能になることからなる、請求項７に記載の印刷システム。
【請求項９】
前記印刷システム内において、前記複数のタイムスロット（518）の前記２倍のタイムスロットのうちの第１の半分が、前記１次インクノズル（602）を発射するのに使用され、前記複数のタイムスロット（518）の前記２倍のタイムスロットのうちの第２の半分が、前記２次インクノズル（604）を発射するのに使用されることからなる、請求項８に記載の印刷システム。
【請求項１０】
複数のノズル対（600）を含んだプリントヘッド（502）を備えた印刷装置によって実施されるマルチモード印刷を行うための方法であって、前記ノズル対の各々は、１次インクノズル（602）と２次インクノズル（604）とを含み、該方法が、
第１の印刷モードの間、複数のタイムスロット（518）のうちの１つのタイムスロット中に、前記印刷装置によって、あるノズル対（600）の前記１次インクノズル（602）と前記２次インクノズル（604）とを同時に発射し、及び、
第２の印刷モードの間、後続するタイムスロット（518）間において、前記印刷装置によって、前記ノズル対（600）の前記１次インクノズル（602）と前記２次インクノズル（604）とを交互に発射する
ことを含む、方法。
【請求項１１】
前記方法において、前記スイッチング回路構成（606）は、第１の印刷モードでは、前記複数のタイムスロット（518）のうちの前記１つのタイムスロット中に、前記ノズル対の前記１次インクノズル（602）と前記２次インクノズル（604）との両方を一斉に発射することからなる、請求項１０に記載の方法。
【請求項１２】
前記方法において、前記スイッチング回路構成（606）は、第２の印刷モードでは、前記複数のタイムスロット（518）のうちの前記１つのタイムスロット中において、選択されたノズル対（600）内の前記ノズルのうちの１つのみを選択的に発射することからなる、請求項１１に記載の方法。
【請求項１３】
前記方法において、前記第２の印刷モードの間、前記プリントヘッドを保持するキャリッジが、前記第１のモードにある間の前記キャリッジの半分の速度で、前記印刷媒体（102）に関連して移動し、該半分の速度によって、前記複数のタイムスロット（518）の２倍のタイムスロットが利用可能になることからなる、請求項１２に記載の方法。
【請求項１４】
前記方法において、前記複数のタイムスロット（512）の前記２倍のタイムスロットのうちの第１の半分が、前記１次インクノズル（602）を発射するのに使用され、及び、前記複数のタイムスロット（512）の前記２倍のタイムスロットのうちの第２の半分が、前記２次インクノズル（604）を発射するのに使用されることからなる、請求項１３に記載の方法。
【請求項１５】
印刷装置であって、
プロセッサと、伝達し合うことが可能なように該プロセッサに結合されたメモリとを含む、制御システム（108）と、
複数のノズル対（600）を含んだプリントヘッドであって、該ノズル対の各々が、１次インクノズル（602）と２次インクノズル（604）とを含むことからなる、プリントヘッド
とを備え、
前記印刷装置内において、前記制御システムの前記プロセッサは、
第１の印刷モードの間、複数のタイムスロットのうちの１つのタイムスロット中に、あるノズル対（600）の前記１次インクノズル（602）と前記２次インクノズル（604）とを同時に発射し、及び、
第２の印刷モードの間、後続するタイムスロット（518）間において、あるノズル対（600）の前記１次インクノズル（602）と前記２次インクノズル（604）とを交互に発射することからなる、印刷装置。
【発明の詳細な説明】
【背景技術】
【０００１】
背景
インクジェットプリンタは、一般に、バナー及び他の表記アイテムに関するようなラージスケール印刷用と、スモールスケールの一般的な消費者の印刷用との両方に使用される。インクジェットプリンタは、典型的には、用紙などの印刷媒体上か又は下地上へとインクを射出（吐出）するよう構成された多数のノズルを含む。該ノズルは、インクカートリッジ内へと頻繁に組み込まれるプリントヘッドの一部である。該インクカートリッジはまた、印刷媒体上へと射出（吐出）するために、インクが該ノズルに提供される前に該インクが格納されるメインインクリザーバを含む。インクカートリッジは、典型的には、可動プラットフォーム上に配置され、該可動プラットフォームは、キャリッジと頻繁に呼ばれ、該キャリッジは、印刷媒体に関連して、該インクカートリッジを移動させ、従ってプリントヘッドノズルを移動させる。
【０００２】
示されるように、様々なドキュメントの、一般的な日常の（又は平凡な）印刷用に、インクジェットプリンタが頻繁に使用される。これらのドキュメントの多くは、高品質の印刷を必要としない可能性がある。しかしながら、消費者はまた、写真及び他の画像を印刷するためにも、頻繁にインクジェットプリンタを使用し、そのことは、該消費者を完全に満足させるためには、より高い印刷品質を必要とする。
【発明の概要】
【発明が解決しようとする課題】
【０００３】
印刷品質を増加させることは、プリントヘッド上により多くのノズルを必要とすることを一般に意味する。従って、より多くのノズル総数と、追加的なノズルに対処するための及び追加的なノズルを動作させるための支援（サポート）システム内に必要とされる複雑性とに起因して、より高品質の印刷システムは、一般により高価である。
【０００４】
幾つかのインクジェットプリンタは、複数のモードで印刷するよう設計されており、ここで、幾つかのモードは、より低品質の日常の（平凡な）印刷用であり、他のモードは、より高品質の画像印刷用である。しかしながら、そのような印刷システムには、典型的には、時々選択されるより高品質の印刷を達成するためにより多くのノズル総数となった結果生じる追加的なコストが依然としてかかる。
【０００５】
添付図面は、本明細書内において記載された原理の様々な実施形態を示すものであり、それらは本明細書の一部である。図示された実施形態は、単なる例であり、特許請求の範囲を制限しない。
【０００６】
図面全体を通じて、同一の参照番号は、類似しているが必ずしも同一とは限らない要素を指定する。
【図面の簡単な説明】
【０００７】
【図１】本明細書内に記載された原理の一例による、例示的なインクジェット印刷原理を示す図である。
【図２Ａ】本明細書内に記載された原理の一例による、例示的なインクカートリッジの斜視図を示す図である。
【図２Ｂ】本明細書内に記載された原理の一例による、例示的なインクジェットプリンタの上面図を示す図である。
【図３】本明細書内に記載された原理の一例による、インクノズル対の例示的なノズル編成（フォーメーション）を示す図である。
【図４】本明細書内に記載された原理の一例による、例示的なインクノズル対の液体均衡（フルードバランシング）を示す図である。
【図５Ａ】本明細書内に記載された原理の一例による、印刷媒体に関連してプリントヘッドが動く時にプリントヘッドによって配列された例示的なドット列を示す図である。
【図５Ｂ】本明細書内に記載された原理の一例による、多数のインクノズル対グループを含む例示的なプリントヘッドを示す図である。
【図５Ｃ】本明細書内に記載された原理の一例による、１次インクノズルと２次インクノズルの発射がタイムスロットに対して如何に割り当てられ得るのかを示す例示的な表を示す図である。
【図６】本明細書内に記載された原理の一例による、インクノズル対の、例示的なスイッチングを示す図である。
【図７】本明細書内に記載された原理の一例による、マルチモード印刷のための例示的な方法を示すフローチャートを示す図である。
【実施例】
【０００８】
詳細な説明
上述のように、幾つかのインクジェットプリンタは、複数のモードで印刷するように設計されている。幾つかのそのようなモードは、より低品質の、日常の（平凡な）印刷用のものである一方、他のモードは、より高品質の画像印刷用のものである。本明細書は、より高品質の画像印刷モードのために必要とされる支援（サポート）構成を最小化するマルチモード印刷のためのシステム及び方法に関する。
【０００９】
説明に役立つある例によれば、マルチモード印刷システムには、多数のインクノズル対を有したプリントヘッドを含めることができ、各インクノズル対は、１次インクノズルと、２次インクノズルとを含む。各ノズル対は、単一のアドレス指定ラインによってサポートされる。これにより、プリンタの制御システムをインクノズル回路構成に接続するアドレス指定ラインをより少数にすることが可能になる。より少数のアドレス指定ラインによって、よりシンプルでより低コストのシステムを実現することが可能になる。各ノズル対に関連付けられた追加的なスイッチング回路構成が、印刷システムが設定されているモードに基づいて対が選択された時に、該対内におけるどのノズルが発射するのかを決定するために使用され得る。
【００１０】
本明細書内において開示した原理による、１つの例示的な印刷システムは、少なくとも２つのモードのうちの１つで動作することができる。第１の印刷モードで動作している時には、ある特定タイムスロット中に、インクノズル対は、選択されたノズル対の１次インクノズルと２次インクノズルとの両方を発射するよう構成され得る。すなわち、プリンタからの１つの信号によって、ノズル対内の両ノズルが発射されるようにさせることが可能である。第２の印刷モードで動作している時には、印刷速度に関連してキャリッジが移動する速度が低減され得る。この低減された速度によって、印刷媒体上に画像を印刷している時に、より多くのタイムスロットが使用されることになることが可能となる。この追加的なタイムスロットによって、発射のために各ノズル対内における１次インクノズルと２次インクノズルとを別々に選択するスイッチング回路構成のためのより多くの時間が利用可能となる。
【００１１】
単一のアドレス指定ラインのみを使用してタイムスロットに従ったノズル対の１次インクノズルか又は２次インクノズルのいずれかの選択的な発射は、より詳細に後述されることとなる。しかしながら、ノズル対のために単一のアドレス指定ラインのみが使用されるので、必要なアドレス指定ラインの全体数が、著しく低減される。更に、選択されたノズル対内における１次インクノズルか又は２次インクノズルのいずれかを選択的にアドレス指定するためにより多くのタイムスロットを使用することによって高い印刷品質が維持され得る。
【００１２】
当業者であれば理解されるであろうように、選択されたインクノズル対の１次ノズルを選択的に所与の位置で発射して、次いで、異なるノズル対の２次インクノズルを発射するための機能（能力）によって、より少ないアドレス指定ラインを使用しながら、より細かい粒の画像が生成されることが可能になる。アドレス指定ラインの数が低減されることによって、印刷システムのコストを低減することが可能になる。更に、プリンタの制御システムからインクノズルへと送られることが必要なデータがより少ない状態であることによって、全体的な印刷速度をより速くすることを可能にすることができる。
【００１３】
以下の記載では、説明を目的として、本システム及び方法の完全な理解をもたらすために、多くの特定の詳細事項が記載されている。しかしながら、本装置、システム、及び方法は、これらの特定の詳細事項が無くても実践され得るということが、当業者にとっては明かであろう。「実施形態（又は一実施形態）」か、「例（又は一例）」か、又は類似の言葉に対する本明細書内の参照は、その実施形態か又は例に関連して説明される、ある特定の機能か、構造か、又は特徴が、少なくともその一実施形態の中に含まれるが、他の実施形態の中に必ずしも含まれているとは限らないということを意味する。本明細書内の様々な箇所にあるフレーズ「一実施形態において」か又は類似のフレーズの様々な例は、必ずしも全て同じ実施形態を指しているとは限らない。
【００１４】
本明細書全体を通じて、及び、添付の特許請求の範囲内において、用語「インク」は、印刷媒体上に画像の部分を形成するために該印刷媒体上へと射出（吐出）される状態を可能にする任意の液体として広く解釈されるべきである。印刷媒体上にフルカラー画像を総合的に生成するために、インクは、染められ得るか又は特定色の顔料を含めることが可能である。
【００１５】
次に図を参照すると、図１は、１つの例示的なインクジェットプリンタ（１００）を示す図である。本明細書内において記載されているように、このプリンタ（１００）が、本明細書内に記載された原理及び構造を具現化する。
【００１６】
本明細書内に記載された原理の、説明に役立つある例によれば、プリンタ（１００）の印刷装置（１０４）には、制御システム（１０８）と、多数のインクジェットノズル（１０６）を有したインクカートリッジ（１１０）とを含めることができる。印刷装置（１０４）は、インクが射出（吐出）される時に、ノズル（１０６）を通過して用紙か又は他の印刷媒体（１０２）を移動させるよう構成され得る。追加的にか又は代替的には、該印刷装置は、インクが射出（吐出）される時に、印刷媒体（１０２）に関連してインクカートリッジ（１１０）及びノズル（１０６）を移動させるよう構成され得る。
【００１７】
制御システム（１０８）には、プロセッサ及びメモリなどの標準的な物理計算システムの構成要素を含めることができる。該メモリには、命令のセットを含めることができる。該命令のセットが、プロセッサに、画像を印刷することに関係したあるタスクを実行させる。例えば、制御システム（１０８）は、印刷装置（１０４）内における様々な機械的な構成要素を管理することが可能である。更に、制御システム（１０８）は、ホストか又はクライアント計算システムから送られた画像データを、印刷装置（１０４）によって使用されるフォーマットに変換して、個々のノズル（１０６）を選択的に発射することができる。
【００１８】
インクカートリッジ（１１０）は、幾つかのインクペンをサポートするために設計され得る。あるペンは、ある特定のプリントヘッドか又はノズルセットと、支援システムとを含む。カートリッジ上の各ペンには、例えば、異なる色のインクを使用することができる。
【００１９】
印刷媒体（１０２）に関連してインクカートリッジ（１１０）が移動する時には、及び／又は、インクカートリッジ（１１０）の下を印刷媒体（１０２）が移動する時には、制御システム（１０８）は、インクカートリッジ（１１０）のインクペンの適切なインクジェットノズル（１０６）に信号を送って、インク滴を射出（吐出）する。該インク滴は、カラーであろうと単色（モノクロ）であろうと、印刷媒体（１０２）上に意図される画像を形成するために、ある特定パターンにおいて射出（吐出）される。
【００２０】
インクジェットノズル（１０６）は、様々な方法を通じて下地（１０２）上へとインクを射出するよう構成され得る。熱インクジェット印刷として知られる一方法は、インク滴を含んだ小型インクチャンバを暖める（熱くする）ことを含む。ある電流が提供された時には該チャンバ（ファイヤリング・チャンバとしても知られる）をある特定の温度に暖める（熱する）ために、熱抵抗が使用される。様々な物理的な特性に起因して、この暖める（熱する）ことが、ファイアリングチャンバの内側の圧力を増加させ、該ファイアリングチャンバが滴を、印刷媒体（１０２）上へとノズル（１０６）の外に押し出す。ファイアリングチャンバ内の空間（隙間：void）が、次いで、メインインクリザーバから該ファイアリングチャンバ内へと更なるインクを引き込む。制御システム（１０８）が用いられることによって、電流が、適切な熱抵抗を適切な時間において通じて流れるようにさせることができる。
【００２１】
図２Ａは、例示的なインクカートリッジ（２００）の斜視図を示す図である。説明に役立つある例によれば、インクカートリッジには、少なくとも１つのインクペン（２０２）と、一群の電気接点（２０４）と、インクリザーバ（２０６）とを含めることができる。インクカートリッジは、それらが使用される特定のプリンタに適合させるため、様々な形状及びサイズに設計され得る。幾つかのケースでは、インクカートリッジ（２００）には、一色のみのインクのためのインクリザーバ（２０６）を含めることができる。他のケースでは、インクカートリッジ（２００）には、異なるインク色を各々が格納している多くのインクリザーバを含めることができる。
【００２２】
上述のように、インクペン（２０２）には、別個のプリントヘッドか、或いは、印刷媒体へとインクを射出するために一緒に動作する実際の物理ノズルの群を含めることができる。本明細書内において説明されることとなるように、各物理ノズルは、独立にアドレス指定され得る。上述のように、各物理ノズルは、あるアドレス指定ラインか又は発射ラインに接続される。該アドレス指定ラインは、その物理ノズルに関連付けられた抵抗を暖める（熱する）ための十分な電力の電気信号を搬送するよう構成された電気的な線である。上述のように、該抵抗は、そのノズルに関連付けられたファイアリングチャンバから小さなインク滴を押し出すのに十分な熱を得るために構成される。ファイアリングチャンバからインクを射出する際に、該チャンバ内の空間（隙間：void）が、メインインクリザーバ（２０６）から更なるインクを引き込む。
【００２３】
インクカートリッジ（２００）のアドレス指定ラインのような様々な電気的な線が、インクカートリッジ（２０４）の外側の一群の電気接点（２０４）から成るインターフェースを通じて支援プリンタ（図２Ｂの２５０）とインターフェースする。電気接点（２０４）は、金属素材のような導電材料から作成され得る。電気接点は、プリンタに関連付けられたカートリッジプラットフォーム上の幾何学的に類似した電気接点の別セットに繋げるように設計され得る。従って、電気信号が、プリンタから、電気接点（２０４）を介して、カートリッジプラットフォーム上の電気インターフェースへと、そして最終的にはインクペン（２０２）へと、伝搬することが可能である。
【００２４】
図２Ｂは、例示的なインクジェットプリンタ（２５０）の上面図を示す図である。説明に役立つある例によれば、該プリンタには、カートリッジプラットフォーム（２１０）上に配置された電気接点（２１２）を有した該カートリッジプラットフォーム（２１０）を含めることができる。プリンタ（２５０）にはまた、印刷媒体フィーダ（２１４）と、制御パネル（２１６）とを含めることもできる。典型的なプリンタ（２５０）は、カートリッジプラットフォーム（２１０）を覆うフードを備えたシャーシ（筐体）を有することができる。該フードは、インクカートリッジを交換するためにか、或いは、プリンタ（２５０）に関する他のメンテナンスのタスクを実施するために、持ち上げられ得る（リフトされ得る）。
【００２５】
カートリッジプラットフォームは、プリンタ（２５０）によって使用されるインクカートリッジ（２００）をしっかりと保持（支える）よう構成され得る。幾つかの例において、プリンタ（２５０）は、黒インクとカラーインクとの両方のためのインクペンを保持する１つのカートリッジのみを使用することができる。他のケースでは、プリンタ（２５０）は、黒インクとカラーインクのための別個のインクカートリッジを使用するよう設計され得る。
【００２６】
インクカートリッジ（２００）のインクペン（複数可）（２０２）が、一枚の印刷媒体に極めて接近したところに配置され得ることとなるような手法で、カートリッジプラットフォーム（２１０）は、インクカートリッジ（複数可）をしっかり保持（支える）よう設計され得る。この構成において、カートリッジプラットフォーム（２１０）は、印刷媒体が沿って通過することとなる経路に関連して移動可能である。従って、印刷媒体に関連してカートリッジプラットフォーム（２１０）が移動すると、インクカートリッジ（複数可）（２００）は、意図されるイメージを形成するために、特定ノズルを発射する時を指示する信号を受け取ることができる。
【００２７】
特定の時間にどのノズルが発射することとなるかを指示する信号が、カートリッジプラットフォーム（２１０）の電気インターフェースを介して受け取られる。該電気インターフェースは電気接点（２１２）を含み、該電気接点（２１２）は、上述のように、インクカートリッジ（２００）における対応する電気接点（２０４）に類似した手法で配置される。電気インターフェースのより詳細な説明が、図３に伴うテキストにおいて以下に提供される。
【００２８】
印刷媒体フィーダ（２１４）は、印刷用に使用されるための用紙のスタックとして通常提供される印刷媒体の供給を受容するよう構成された構造とすることができる。印刷されている画像についての適正な位置にインクが堆積されることとなることを可能にするために、プリンタ（２５０）は、所望の速度で該プリンタを通じて印刷媒体の個々のシートを引っ張ることができる。
【００２９】
制御パネル（２１６）は、ユーザに、設定させられるか又はプリンタ（２５０）を制御させることを可能にするために使用され得る。このことは、プリンタ（２５０）によって利用可能な様々な機能及びオプションを、ユーザが使用することを可能にすることを含む。従って、制御パネル（２１６）には、ボタン及びディスプレイ装置のような、ユーザ入力を容易にするための様々な装置を含めることができる。
【００３０】
図３は、インクノズル対のノズル構成を有した例示的なプリントヘッド（３００）を示す図である。説明に役立つある例によれば、インクノズル対（３１４）は、図３内に示されたような列を成して形成され得る。各列には、異なるカラーのインクを堆積させるためのインクノズルを含めることができる。例えば、ある列には、黄色インク用のインクノズル（３０２）を含めることができ、ある列には、マゼンタインク用のノズル（３０４）を含めることができ、及び、ある列には、シアンインク用のノズル（３０６）を含めることができる。
【００３１】
各列内において、インクノズルはペアで配置される。各インクノズル対（３１４）には、１次インクノズル（３０８）と２次インクノズル（３１０）とを含めることができる。両インクノズル（３０８、３１０）は、インクフローライン（３１２）に接続され得る。該インクフローライン（３１２）を通じて、インクノズル（３０８、３１０）は、インクリザーバからのインクを受け取る。
【００３２】
各インクノズル対（３１４）は、個別にアドレス指定され得る。プリンタの制御システムは、プリントヘッド（３００）が印刷媒体に関連して移動する際に、ノズル対（３１４）に対して信号を送ることができる。指定された期間において、特定ノズル対（３１４）が、印刷媒体上の特定位置の上である時に、プリンタの制御システムから受け取った信号に基づいて発射を行うよう該ノズル対は構成され得る。以下により詳細に説明されることとなるように、発射の際に、ノズル対（３１４）は、印刷媒体上へと１つか又は２つのインク滴を射出することができる。
【００３３】
インクフローライン（３１２）は、列に沿ってノズル対（３１４）に対してインクを供給するために使用され得る。ノズル（３０８、３１０）が、インク滴を射出すると、それらノズルは、それらの各々のファイアリングチャンバを補充することが必要になることとなる。上述のように、インクファイアリングチャンバは、一滴のインクを格納するように設計された小型のチャンバである。そのインク滴が射出される時に、そのファイアリングチャンバが補充される。本明細書内において記載されているように、インクフローライン（３１２）を通じて供給されるインクでファイアリングチャンバは補充される。
【００３４】
図４は、例示的なインクノズル対の液体均衡（フルードバランシング）（４００）を示す図である。説明に役立つある例によれば、１次インクライン（４１０）は、１次インクノズル（４０４）を共有インクフローライン（４０６）に接続することができる。更に、２次インクライン（４０８）は、２次インクノズル（４１４）を共有インクフローライン（４０６）に接続することができる。
【００３５】
幾つかの例において、１次インクノズル（４１４）は、２次インクノズル（４１６）よりも大きいものとすることができる。その結果、１次インクノズル（４１４）のファイアリングチャンバ（４０４）は、２次インクノズル（４１６）のファイアリングチャンバ（４０２）よりも大きいものとすることができる。従って、１次インクノズル（４１４）は、２次インクノズル（４１６）から射出されるインク滴（４１２）よりも大きな体積を有したインク滴（４１２）を射出するよう構成される。
【００３６】
幾つかの例において、２次インクノズル（４１６）は、１次インクノズル（４１４）よりも、共有インクフローライン（４０６）から更に遠い距離に配置され得る。従って、共有インクフローライン（４０６）から１次インクノズル（４１４）にインクを供給する１次インクライン（４１０）は、共有インクフローライン（４０６）から２次インクノズル（４１６）にインクを供給する２次インクライン（４０８）よりも、より短いものとすることができる。従って、２次インクノズル（４１６）のファイアリングチャンバ（４０２）が共有インクフローライン（４０６）からインクを受け取る速度は、より近い１次インクノズル（４１４）にインクが供給される速度よりも、より遅いものとすることができる。しかしながら、２次インクノズル（４１６）のインクチャンバ（４０２）は、１次インクノズル（４１４）のインクチャンバ（４０４）よりも小型なので、２次インクノズルのインクチャンバ（４０２）を補充するために、より少ないインクしかかからない。
【００３７】
両インクノズル（４１４、４１６）のそれぞれのファイアリングチャンバ（４０２、４０４）を補充するのに必要な総時間がほぼ同じになることとなるようにさせる手法で、各インクノズル（４１４、４１６）の相対的なサイズと、各ノズルの共有インクフローライン（４０６）からの距離とが設計され得る。従って、１次インクノズル（４１４）と２次インクノズル（４１６）との両方が、同時に発射される場合には、それらは両方とも、ほぼ同じ時間量で、補充されて、再び発射する準備が整うこととなる。両ノズル（４１４、４１６）間の液体の流れを均衡させることによって、プリンタは、全体的により速い速度でより効果的に動作させることを可能にすることができる。
【００３８】
図５Ａは、印刷媒体に関連してプリントヘッド（５０２）が動く時に、プリントヘッド（５０２）によって配列される例示的なドット列（５０６）を示す図である。説明に役立つある例によれば、印刷媒体に関連してプリントヘッドが移動する時に、該プリントヘッドは、幾つかの並行なドット列（５０６）を配列するよう構成され得る。ドット列は、プリントヘッドが移動する方向（５０４）に垂直なものとすることができる。遠方から眺めた時に、人間の目は、ドット列（５０６）の配列（又は配置：placement）を一般に検出することができない。むしろ、ドット列（５０６）は、１つの連続的な画像として見える。
【００３９】
一般に、プリントヘッドは、その全長（５０８）に沿って選択したインクノズルの全てを同時に発射するようには設計されない。それよりもむしろ、プリントヘッド（５０２）の長さ（５０８）に沿ったインクノズルは、多くのインクノズルグループへと分割される。各インクノズルグループには、あるタイムスロットが割り当てられ得る。単一ドット列（５０６）を配列するのに必要なタイムスロットの数は、プリントヘッド（５０２）のインクノズルグループの数に直接的に関連付けられ得る。各インクノズルグループは、少なくとも１つの異なるタイムスロットに割り当てられる。従って、ある特定のタイムスロット中には、あるインクノズルグループ内におけるインクノズル対の選択されたサブセットは、同時に発射される。
【００４０】
図５Ｂは、多くのインクノズルグループ（５１０、５１２、５１４、５１６）を含む例示的なプリントヘッドを示す図である。上述のように、各インクノズルグループ（５１０、５１２、５１４、５１６）には、少なくとも１つのタイムスロットが割り当てられ得る。インクノズルグループに割り当てられるタイムスロットの数は、プリンタが現在設定されているモードに基づくものとすることができる。図示されている構成において、プリントヘッドは、４つのインクノズルグループにまで分けられている。従って、１つのドット列（５０６）を印刷するためには、少なくとも４つのタイムスロットが必要とされる。図５Ｂ内に示された例は、例示を目的とするために簡略化された例である。実際のプリントヘッドには、より多数のインクノズルグループを含めることができ、従って、１ドット列（５０６）当たりにより多数のタイムスロットを利用することができる。例えば、プリントヘッドには、１２個のインクノズル対を各インクノズルグループが含んだ１４個のインクノズルグループを含めることができる。そのようなプリントヘッドは、プリントヘッドの全長（５０８）に沿って１６８個のインクノズルを含むことになる。図５Ｂ内に示されているようなプリントヘッド（５０２）は、単一色用のみである。当業者であれば理解されるであろうように、インクカートリッジには、互いに異なる色の３つのプリントヘッドを含めることができる。
【００４１】
上述のように、本明細書内において記載された原理を具現化するプリンタは、高品質なプリントジョブが必要とされない可能性がある日々の標準的なドキュメントのために使用される第１のモードにおいて動作するよう構成され得る。このモードでは、プリントヘッド（５０２）は、各ノズル対の１次インクノズルと２次インクノズルとの両方を、あたかもインクノズルが１つのインクノズルであるかのように、そのそれぞれのタイムスロット中に一斉に（揃えて）発射するよう構成され得る。ある特定のドット列（５０６）を配列するために、プリントヘッド（５０２）は、４つのタイムスロットを利用することができ、１つのタイムスロットが、各インクノズルグループ（５１０、５１２、５１４、５１６）用である。４つのタイムスロットのうちのタイムスロット１の間、インクノズルグループ１（５１０）内における選択されたノズル対が発射される。４つのタイムスロットのうちのタイムスロット２の間、インクノズルグループ２（５１２）内における選択されたノズル対が発射される。４つのタイムスロットのうちのタイムスロット３の間、インクノズルグループ３（５１４）内における選択されたノズル対が発射される。４つのタイムスロットのうちのタイムスロット４の間、インクノズルグループ４（５１４）内における選択されたノズル対が発射される。
【００４２】
幾つかの例では、各インクノズルグループ（５１０、５１２、５１４、５１６）は、その他のインクノズルグループからわずかにオフセットさせられ得る。このことは、異なるインクノズルグループ内におけるインクノズルが連続的に発射されると、プリントヘッドが一定の動き状態にあるという事実を補償する。該オフセットによって、より真っ直ぐなドット列（５０６）が、印刷媒体上へと配列されることになることが可能になる。
【００４３】
説明に役立つある例によれば、プリンタは、第２の印刷モードにおいて動作するよう構成され得る。第２の印刷モードの間、プリントヘッドに関連してキャリッジが移動する速度は、半分の速度に低減され得る。従って、２倍の数のタイムスロットが、印刷媒体上に配列される各ドット列（５０６）ごとに利用可能になることができる。例えば、図５Ｂ内に図示されたようなプリントヘッドのケースでは、単一ドット列（５０６）を印刷するために、８つのタイムスロットが使用され得り、２つのタイムスロットが、各インクノズルグループ用である。１つのインクノズルグループに割り当てられた２つのタイムスロットにより、１次インクノズルを発射するために１つのタイムスロットが使用され得り、２次インクノズルを発射するためにその他のタイムスロットが使用され得る。
【００４４】
図５Ｃは、如何にして１次インクノズルと２次インクノズルとがタイムスロット（５１８）を割り当てられ得るのかを説明する例示的な表を示す図である。説明に役立つある例によれば、各インクノズル対ごとのスイッチング回路構成は、インクノズルのそれぞれのタイムスロット（５１８）中に発射を行うためにインクノズル対が選択される時に、インクノズル対内における１次インクノズルか又は２次インクノズルの何れかが、発射されることとなるように設定するよう構成され得る。該スイッチング回路構成は、図６に伴うテキストと共により詳細に以下に説明される。
【００４５】
図５Ｃ内の表は、１次及び２次インクノズル対が発射させられる可能性がある順序の２つの例（５２０、５２２）を説明している。どのインクノズルが、ある特定タイムスロット（５１８）中に発射させられることとなるかを指定するために数字と文字とが使用されている。インクノズルグループを該数字が表しており、及び、文字は「Ｓ」か又は「Ｐ」のいずれかが、それぞれ、２次インクノズルか又は１次インクノズルのいずれかを示す。例えば、表示「１Ｓ」は、インクノズルグループ１（５１０）の内のノズル対の２次インクノズルが発射されることを示す。
【００４６】
例１（５２０）において、インクノズル対は、あるタイムスロット中にその２次ノズルを発射し、及び、後続するタイムスロット中にその１次ノズルを発射する。従って順序は、各インクノズルグループが連続的に、そのそれぞれのタイムスロット中に２次ノズルを発射すること、及び、その後続するタイムスロット中に１次インクノズルを発射することによって進行することができる。この例では、第１のタイムスロット中に、インクノズルグループ１（５１０）からある特定のインクノズル対が選択され、並びに、第２のタイムスロット中に、インクノズルグループ１（５１０）からその同じインクノズル対が選択される場合には、そのインクノズル対は、その２次インクノズルとその１次インクノズルとの両方を連続的に発射する。後続するタイムスロットとの間の正確なタイミングは、２次インクノズルによって配列されるドットとオーバーラップするドットを１次インクノズルが配列させることができることとなるように、十分に小さなものとすることができる。
【００４７】
例２（５２２）において、最初の４つのタイムスロット中に、全てのインクノズルグループからの２次インクノズルが発射される。残りの４つのタイムスロット中に、各グループからの１次インクノズルが発射される。この例では、第１のタイムスロット中に、インクノズルグループ１（５１０）からある特定のインクノズル対が選択され、及び、第５のタイムスロット中に、インクノズルグループ１（５１０）からその同じインクノズル対が選択される場合には、そのインクノズル対は、その２次インクノズルを発射して、次いで、その１次インクノズルを発射する前に、４つのタイムスロットを待つ。後続するタイムスロットとの間の正確なタイミングは、（オーバーラップが存在しないことととなるように、１次インクノズルによって配列されたドットが、２次インクノズルによって配列されたドットから十分遠く離れたものにさせられるほど十分遠くにプリントヘッドが移動するようにして）４つのタイムスロットが十分な時間であることとなるようにすることができる。
【００４８】
図５Ｃ内に図示された２つの例（５２０、５２２）は、インクノズルがタイムスロットに割り当てられ得る手法における網羅的なセットではない。様々な他のタイムスロット割り当てが成され得る。利用可能なタイムスロットに１次及び２次インクノズルが割り当てられる手法は、各列に沿って印刷媒体上へと如何にしてドットが配列されるかに影響を及ぼすことができる。
【００４９】
図６は、インクノズル対（６００）の例示的なスイッチングを示す図である。説明に役立つある例によれば、各ノズル対（６１６）における１次インクノズル（６０２）と２次インクノズル（６０４）との両方が、スイッチング回路構成（６０６）に接続され得る。スイッチング回路構成（６０６）は、制御ライン（６１４）及びアドレス指定ライン（６０８）などの様々なデータライン（選択ラインとしても時折呼ばれる）を介して、プリンタの制御システム（図１の１０８）に接続され得る。
【００５０】
インクノズル対内におけるどのインクノズルが、どのモード中に発射されるかを選択するためにスイッチング回路構成（６０６）が使用される。上述のように、第１の印刷モードの間、インクノズル対（６００）は、選択されたインクノズル対内においてその適切なタイムスロット中に１次インクノズル（６０２）と２次インクノズル（６０４）との両方を発射するよう構成（又は設定）される。アドレス指定ライン（６０８）を介してプリンタの制御システムから受け取った信号に基づいて、ある特定のインクノズル対は、その対が選択されているのか又は選択されていないのかどうかを知ることができる。例えば、インクノズル（６００）が属するあるインクノズルグループ内のタイムスロット中、アドレス指定ライン（６０８）を介して制御システムから適切な信号が受け取られている場合には、インクノズル対は、両インクノズル（６０２、６０４）を発射する。
【００５１】
第２のモードの間、スイッチング回路構成（６０６）は、ある特定のタイムスロット中に、１次インクノズル（６０２）か又は２次インクノズル（６０４）の何れかを選択するよう構成され得る。例えば、インクノズル対（６００）が属するあるインクノズルグループの２次インクノズルに対するタイムスロット中、アドレス指定ライン（６０８）を介して制御システムから適切な信号が受け取られる場合には、スイッチング回路構成（６０６）は２次インクノズル（６０４）を発射するよう構成され得る。
【００５２】
スイッチング回路構成（６０６）は、制御ライン（６１４）を介して受け取った信号に基づいてプリンタが設定される現在のモードを決定する。従って、スイッチング回路構成（６０６）は、制御ライン（６１４）を介してプリンタの制御システムから受け取った信号に基づいて各それぞれの印刷モードに関連したその意図される機能を実施することができる。
【００５３】
図７は、マルチモード印刷のための例示的な方法（７００）を示すフローチャートである。説明に役立つある例によれば、該方法は、１次インクノズルと２次インクノズルとを各ノズル対が含んだ多数のノズル対を有するプリントヘッドを備える印刷装置によって実施され得る。方法（７００）には、第１の印刷モードの間、前記印刷装置によって、あるノズル対の１次インクノズルと２次インクノズルとを同時に発射すること（ステップ７０２）と、第２の印刷モードの間、前記印刷装置によって、あるノズル対の１次インクノズルと２次インクノズルとを個別に且つ交互に発射すること（ステップ７０４）と、を含めることができる。該方法には、２次インクノズルよりも１次インクノズルからより多くの量のインクを射出すること（７０６）と、第２の印刷モードの間、第１の印刷モードの半分の印刷速度で印刷すること（ステップ７０８）と、ノズル対のうちの１つをアドレス指定するために、１つのアドレス指定可能なポイントを用いること（ステップ７１０）と、を更に含めることができる。
【００５４】
要約すると、本明細書内において記載された原理を具現化する印刷システムを使用することによって、より低いコストのマルチモードプリンタを実現することができる。該より低いコストは、物理的なノズル総数よりも、より少ないアドレス指定可能ノズル総数の結果として生じることが可能である。該より少ないアドレス指定可能ノズル総数によって、インクペンとプリンタの制御システムとの間のより小型の電気インターフェースを可能にすることができる。該より少ないアドレス指定可能ノズル総数によって、印刷システムは、制御システムによってアドレス指定された時にインクノズル対のインクノズルが如何にして発射されるのかを決定するために用いられる追加的な回路構成を使用することにより品質を維持することができる。
【００５５】
上記の説明は、記載された原理の実施形態と例とを図示し且つ説明するためにのみ提示されてきた。この説明は、網羅的であることか又は開示した任意の正確な形態にこれらの原理を限定することを意図していない。上記教示を考慮して多くの改変及び変形形態が可能である。
【図１】
2013526434.tif 000003
【図２Ａ】
2013526434.tif 000004
【図２Ｂ】
2013526434.tif 000005
【図３】
2013526434.tif 000006
【図４】
2013526434.tif 000007
【図５Ａ】
2013526434.tif 000008
【図５Ｂ】
2013526434.tif 000009
【図５Ｃ】
2013526434.tif 000010
【図６】
2013526434.tif 000011
【図７】
2013526434.tif 000012
【国際調査報告】
2013526434.tif 000013
2013526434.tif 000014
2013526434.tif 000015